(57)【要約】【課題】グリーン購入を促進するにあたり、購入側の企業等において、高効率なグリーン購入データの収集を可能とし、そのグリーン購入の実態を容易に把握でき、グリーン購入の意識の向上に寄与できるようなシステムを提供する。【解決手段】グリーン購入品の実績を管理するシステムにおいて、システムを管理するホスト側コンピュータと、これに通信手段を介して接続される端末側コンピュータとを備え、ホスト側コンピュータにより、端末側のグリーン購入品に関する情報を取得して、ホスト側で取得したグリーン購入品の情報と統合し、これらを共同購入情報として一括して管理するシステムであり、全購入品に関する情報をデータベースに記録して保存する手段と、データベースから全購入品のリストおよびその数量を取得してそれらを保存する手段と、購入品がグリーン購入品に当たるかどうかを判定する手段と、全購入品に占めるグリーン購入品の比率を算出する手段とを備えるグリーン購入管理システムとした。【選択図】      図１
2008123428.tif 000002
【特許請求の範囲】
【請求項１】
グリーン購入品の実績を管理するシステムにおいて、
システムを管理するホスト側コンピュータと、これに通信手段を介して接続される端末側コンピュータと、を備え、
前記ホスト側コンピュータにより、前記端末側のグリーン購入品に関する情報を取得して、前記ホスト側で取得したグリーン購入品の情報と統合し、これらを共同購入情報として一括して管理するシステムであって、
全購入品に関する情報を、データベースに記録して保存する手段と、
前記データベースから、前記全購入品のリストおよびその数量を取得してそれらを保存する手段と、
前記購入品がグリーン購入品に当たるかどうかを判定する手段と、
前記全購入品に占める前記グリーン購入品の比率を算出する手段と、
を備えることを特徴とするグリーン購入管理システム。
【請求項２】
請求項１に記載のグリーン購入管理システムにおいて、
新規に申請されたグリーン購入相当品の情報を取得する手段と、
前記情報から、前記相当品がグリーン購入品にあたるかどうかを判別する手段と、
グリーン購入にあたると判定された前記相当品について、その情報を記録して保存する手段と、
を備えることを特徴とするグリーン購入管理システム。
【請求項３】
請求項１に記載のグリーン購入管理システムにおいて、
グリーン購入品の調達率の目標値を設定する手段と、
前記目標値に対する前記グリーン購入品の実績情報を取得して保存する手段と、
前記グリーン購入品の実績情報に応じて、その後に購入する購入品のグリーン購入品の割合を算出して保存する手段と、を備えることを特徴とするグリーン購入管理システム。
【請求項４】
請求項１に記載のグリーン購入管理システムにおいて、
前記グリーン購入品の実績情報に応じて、その後に購入する購入品をグリーン購入品しか選択できなくする購入品検索手段、を備えることを特徴とするグリーン購入管理システム。
【発明の詳細な説明】
【技術分野】
【０００１】
本発明は、グリーン購入のための管理システムに関するものである。グリーン購入とは、環境やコスト面で従来品よりも優れた商品を積極的に購入しようとする試みであり、多くの企業において環境配慮のためにこのグリーン購入を推奨している。
【背景技術】
【０００２】
グリーン購入において対象となる商品群は、グリーン購入ネットワークのホームページで公開されており、購入側となる企業では、その中から選定することができる。また、それと同時に、新商品でかつグリーン購入の準対象品であると思われる商品について、企業のなかで様式化されたシートを用いて提案できる仕組みがあれば、その商品の内容は、様式化された別のチェックシートなどによって判定することができる。その判定の結果、その企業でグリーン購入と認められる商品は積極的に導入され、グリーン購入と認められないものは、その対象外となる。
【発明の開示】
【発明が解決しようとする課題】
【０００３】
しかしながら、従来から、多くの企業においてグリーン購入を促進しているものの、その実態がどの程度のものであるかは管理されていない。
【０００４】
本発明は、従来技術における上述の問題点に鑑みてなされたものであって、グリーン購入を促進するにあたり、購入側の企業等において、高効率なグリーン購入データの収集を可能とし、そのグリーン購入の実態を容易に把握でき、グリーン購入の意識の向上に寄与できるようなシステムを提供することをその目的とする。
【０００５】
本発明の技術関連分野にある特許文献としては、例えば次のようなものがある。
【特許文献１】特開２０００−２５６３６８号公報
【特許文献２】特開２００４−８６４１４号公報
【課題を解決するための手段】
【０００６】
（１）グリーン購入品の実績を管理するシステムにおいて、
システムを管理するホスト側コンピュータと、これに通信手段を介して接続される端末側コンピュータと、を備え、
前記ホスト側コンピュータにより、前記端末側のグリーン購入品に関する情報を取得して、前記ホスト側で取得したグリーン購入品の情報と統合し、これらを共同購入情報として一括して管理するシステムであって、
購入した全購入品に関する情報を、データベースに記録して保存する手段と、
前記データベースから、前記全購入品のリストおよびその数量を取得してそれらを保存する手段と、
前記購入品がグリーン購入品に当たるかどうかを判定する手段と、
前記全購入品に占める前記グリーン購入品の比率を算出する手段と、を備える。
【０００７】
（２）(１)のグリーン購入管理システムにおいて、
新規に申請されたグリーン購入相当品の情報を取得する手段と、
前記情報から、前記相当品がグリーン購入品にあたるかどうかを判別する手段と、
グリーン購入にあたると判定された前記相当品について、その情報を記録して保存する手段と、を備える。
（３）(１)のグリーン購入管理システムにおいて、
グリーン購入品の調達率の目標値を設定する手段と、
前記目標値に対する前記グリーン購入品の実績情報を取得して保存する手段と、
前記グリーン購入品の実績情報に応じて、その後に購入する購入品のグリーン購入品の割合を算出して保存する手段と、を備える。
（４）(１)のグリーン購入管理システムにおいて、
前記グリーン購入品の実績情報に応じて、その後に購入する購入品をグリーン購入品しか選択できなくする購入品検索手段、を備える。
【発明の効果】
【０００８】
本発明のシステムでは、グリーン購入を推奨していく上で大変有効に活用でき、調達品の何％がグリーン購入であるかを簡単に明示することができるので、情報開示や企業イメージの観点からも大いに有用である。また、その企業において、どの程度本気でグリーン購入を実践しているかをアピールすることができる。
一方、グリーン購入品を採用する企業側が積極的にグリーン購入率を開示すれば、グリーン商品や部品を提供する供給側でも、より積極的にグリーン購入品の開発に取り組むようになる。
【０００９】
さらに、本発明のシステムでは、ＡＳＰ(Application-Service-Provider)などの形態を用いて、アプリケーションをＡＳＰ業者内のサーバーで動作させて、ユーザ各社からの入力操作で使用することも可能であり、グリーン購入実績管理や注文をサービスすることもでき、子会社や孫会社等のグループ企業や関連企業でも、グリーン購入を実施しやすくなる。その結果として、より多くの企業がグリーン購入を推奨するインフラとなりうる。
【発明を実施するための最良の形態】
【００１０】
つぎに、本発明によるグリーン購入管理システムの実施の形態を、図１〜４を参照して説明する。以下は本発明の一実施形態であって、本発明を限定するものではない。
まず図１は、本発明のグリーン購入管理システムが適用されるネットワークの構成図である。図１のグリーン購入管理システム１００では、グリーン購入管理システムのアプリケーションを、ネットワークシステム全体で用い、ネットワークシステム内の端末やサーバー、ホストコンピュータなどによって、グリーン購入に関する業務を統合して一括的に管理することができる。
【００１１】
図１の構成図に示すように、本システム１００は、複数の端末(３０、４０、５０、…)およびグリーン購入ネックワークの管理社(GPN)９０が、インターネット等のネットワーク２０を介して、ホストシステム１０のホストコンピュータ(ＣＰＵ)１０Ｃに接続される構成となっており、ホストシステム１０は、ホストコンピュータ１０Ｃに接続するデータベース(ＤＢ)を備えている。なお、この図１のホストコンピュータ１０Ｃに接続される端末としては、Ａ社の端末３０、Ｂ社の端末４０、Ｃ社の端末５０の３台を示しているだけであるが、この図１に示した数に限定されるものではない。
本システム１００では、ホストシステム１０、複数の端末(３０、４０、５０、…)および管理社(GPN)９０が、ネットワーク２０に接続されており、ホストシステム１０のデータベース(ＤＢ)にはグリーン購入に関するデータが入力されて蓄積される。
【００１２】
ホストシステム１０のデータベースは、利用者管理データベース１３ａ、グリーン購入品データベース１３ｂ、グリーン品購入実績データベース１３ｃ、を備える。各端末(３０、４０、５０)では、業務を遂行するためのコンピュータ処理がそれぞれ実行され、処理結果としてそのデータが、ネットワーク２０を介してホストシステム１０に送信される。これらのデータは、ホストシステム１０のホストコンピュータ１０Ｃで所定のデータ処理がなされて、処理結果としてのホスト処理データが、ネットワーク２０を介して、端末(３０、４０、５０)に送信される。このようにして、端末(３０、４０、５０)の業務担当者は、業務遂行に必要な処理を、ホストシステム１０のコンピュータ１０Ｃによって統合し、一括的な管理により実行させることができる。
【００１３】
本発明によるグリーン購入管理システム１００では、ホストシステム１０のホストコンピュータ１０Ｃを、格納されたアプリケーションプログラムに従って、通信管理手段１１ａ、利用者認証手段１２ａ、グリーン品登録・更新手段１２ｂ、グリーン品検索・参照手段１２ｄ、購入実績管理手段１２ｅとして機能させることができる。
【００１４】
また、各端末(３０、４０、５０)は、それぞれコンピュータ(プロセッサ)を備えて、これを、格納されたアプリケーションプログラムによって、通信管理手段(３０ａ、４０ａ、５０ａ)、利用者認証手段(３０ｂ、４０ｂ、５０ｂ)、グリーン品検索・発注手段(３０ｃ、４０ｃ、５０ｃ)として機能させることができる。
【００１５】
本発明によるグリーン購入管理システムでは、その利用者を特定するために、事前に会員登録させておく。登録された会員は、ＩＤ／パスワードによる認証や、生体認証などの「利用者認証手段(１２ａ)」によって特定され、その利用状況の特定ができる。また、利用者管理データベース１３ａには、本発明によるグリーン購入管理システムを利用する会員情報が蓄積・保存されており、利用時の認証やアクセス制限、購入実績管理などに利用される。
【００１６】
図３は、本発明によるグリーン購入管理システム１００で用いられる利用者管理データベース(１３ａ)の一例を示す図であり、所定の項目とそれに対する値と属性とを一欄で示したものである。図３においては、利用者を特定または登録のための項目として、利用者ＩＤ、パスワード、生体認証、会社名、所属、役職、氏名、電話番号、ファックス番号、電子メールアドレス、などを用いている。
【００１７】
「グリーン購入品（Ｇ品）登録・更新手段(１２ｂ)」では、グリーン購入ネックワークの管理社(GPN)９０のインターネットの公的なホームページなどで登録されている一般購入品だけではなく、その企業が属する業界特有の個別部品に関する「Ｇ品(グリーン購入品)」の登録・更新を行う。例えば、その業界が電力業界であるなら、「Ｇ品」としてメーカーから申請し、電力会社で公正な審査を行い、その結果、合格したものを「Ｇ品」としてグリーン購入品ＤＢに登録する。
そして、「Ｇ品検索・参照手段(１２ｃ)」によって、グリーン購入ネットワークのインターネットのサイトを参照して、登録されている「Ｇ品(グリーン購入品)」の検索・参照を行って、常に最新情報に対する検索が可能になるようにする。
【００１８】
「一般Ｇ品検索・参照手段(１２ｄ)」では、グリーン購入ネットワークのインターネットのサイトを参照し、登録されている一般グリーン購入品を検索・参照する。
サイトを直接検索／参照することにより、常に最新情報に対する検索が可能になる。
【００１９】
「購入実績管理手段(１２ｅ)」では、Ｇ品購入リストをＧ品購入実績ＤＢに登録し、会員毎にＧ品購入量を管理する。
それと同時に、会員側から総購入品情報を得ることで、その総購入品情報に対するＧ品購入量を計算し、Ｇ品購入の比率を自動的に計算する。
図４は、本発明によるグリーン購入管理システムで用いられる「Ｇ品(グリーン購入品)」購入実績の表示の一例を示す図であり、所定の項目とそれに対する値と属性とを一欄で示したものである。図４においては、購入実績を示す項目として、利用者ＩＤ、Ｇ品(グリーン購入品)購入実績、全購入品数、Ｇ品購入率、目標Ｇ品購入率などを用いる。
【００２０】
本発明によるグリーン購入管理システム１００では、購入された全購入品に関する情報を、ホストシステム１０のデータベース(１３ａ、１３ｂ、１３ｃ)に記録して保存しておき、これらのデータベース(１３ａ、１３ｂ、１３ｃ)から、前記全購入品のリストおよびその数量、購入年月日、購入金額、登録に関する情報、購入品の仕様などのデータを取得して、それらを管理することができる。
また、購入品がグリーン購入品に当たるかどうかを判定したり、全購入品に占める前記グリーン購入品の比率を算出したり、することができる。
【００２１】
購入予定の品がグリーン購入品に該当するか否かの判定は、購入予定の品がグリーン購入品ＤＢ(１３ｂ)内に登録されているかどうか、を調査(比較)することによって行うことができる。
ここで、グリーン購入品ＤＢ(１３ｂ)内のデータ更新は、グリーン購入ネットワークのホームページから随時購入品データをダウンロードして、それを行う。
また、業界特有の汎用品でない部品(資機材)などについては、上記ネットワークに登録されていないため、ネットワークを通じて、メーカーから個別に申請を受けた後、評価を実施し、評価点が基準値を超えた場合に、その部品等をグリーン購入ＤＢへ登録するようにするとよい。
【００２２】
図２は、本発明によるグリーン購入管理システム１００において、コンピュータの表示部における画面イメージの例を示す図である。
ここでは、グリーン購入品に関する検索を実施するための画面の例を示したものであり、グリーン購入品については、特注品／一般品のうちのいずれかを選び、そして、ジャンル・商品分類・メーカー名・その他の項目・詳細設定などの各項目についてのデータを入力して、検索を実行することにより、グリーン購入品に関して所望する検索を行うことができる。
【００２３】
本発明によるグリーン購入管理システム１００においては、新規に申請されたグリーン購入相当品の情報を取得して、その情報から、その相当品がグリーン購入品にあたるかどうかを判別することができる。
グリーン購入にあたると判定された前記相当品については、その情報をグリーン購入品ＤＢ(１３ｂ)内に記録して保存することができる。
【００２４】
本発明によるグリーン購入管理システム１００が、「電力業界」において用いられるとすれば、例えば図１において、ホストシステム１０の管理は電力会社が行い、複数の端末(３０、４０、５０、…)は各メーカーから構成される。
ここでの「新規に申請されたグリーン購入相当品の情報を取得する」とは、電力業界の各メーカー(端末３０、４０、５０、…)がネットワークを通じて、後に示す［(様式１−１)エネルギー・グリーン提案申込書式］、［(様式１−２)エネルギー・グリーン提案申込書式］、［(様式２)環境マネジメントシステム構築状況に関するアンケート］に相当する入力フォームに製品の情報を入力して、ホストシステム１０を管理する電力会社へ送信し、電力会社側でその申請情報を受信し、ＤＢへ登録することで情報を取得することができる。この際、申請データに加えて、技術的資料（仕様書、試験成績書、品質管理工程図等）を添付するようにするとよい。
【００２５】
［(様式１−１)エネルギー・グリーン提案申込書式］の一例を次に示す。
記載事項
・件名 (品名規格)
・「標準仕様品(従来品)」
・「エネルギー・グリーン提案品」
「標準仕様品(従来品)」と「エネルギー・グリーン提案品」については、それらの内容を比較して記載する。
「エネルギー・グリーン提案」は、資機材の調達にあたり、素材・製造・使用および廃棄の各段階における環境配慮型の改善提案であり、このとき、提案に関する技術的資料（仕様書、試験成績書、品質管理工程図等）等を添付し、また、コスト面や環境面に関する資料も添付するとよい。
また、提案が採用されたとき、仕様や規格などについて、他社への公開および適用の可否とその理由について、記載するとよい。
【００２６】
［(様式１−２)エネルギー・グリーン提案申込書式］の一例を次に示す。
・「件名 (品名規格)」を記載する。
・「コスト面」についての内容を記載する。
‥評価要素  1)販売価格  2)ランニングコスト  3)リサイクル／廃棄処理コスト
4)トータルコスト
‥記載内容：各評価要素毎に、増加/同等/低減から選択し、その内容(従来コストと
提案後)を記載する。
・「環境面」について記載する。
評価要素
1)省資源  a)再生素材利用 b)小型軽量化 c)標準統一化 
2)省エネルギー  a)省エネルギー性 b)省消耗性 c)高効率化 
3)長寿命化  a)耐久性向上 b)信頼性向上 c)修理保守容易性
4)再資源化・分解性  a)再生素材の利用 b)再資源化促進 c)分解分離性向上
5)廃棄処分容易性  a)処分容易性 b)廃棄情報提供 c)有害物質不使用
‥記載事項：各評価要素毎に、効果(低下/同等/向上)とその内容を記載する。
【００２７】
ここで、［(様式１−１)エネルギー・グリーン提案申込書式］および［(様式１−２)エネルギー・グリーン提案申込書式］に関するデータ類は、端末(３０、４０、５０、…)側のコンピュータから、ホストシステム１０のホストコンピュータ１０Ｃに通信手段２０を介して送信され、自動的に読み取られて、データベース(ＤＢ１３ａ、１３ｂ、１３ｃ)に保存されて管理されるように構成されるとよい。
【００２８】
［(様式２)環境マネジメントシステム構築状況に関するアンケート］の一例を、次に示す。
アンケートの記載事項
・貴社名、回答部門、担当者
・貴社(貴事業所)はＩＳＯ１４００１の認証取得をしているか。
・貴社(貴事業所)の環境管理活動について (ISO14001を取得していないとき)
a)環境方針（環境保全に関する方針）  b)計画    c)実施および運用
d)点検および是正措置  e)経営層による見直し
・貴社(貴事業所)の取り組み状況について 
a)インターネットや環境報告書などで環境情報を公表しているか？
b)グリーン購入・調達に取り組んでいるか？
ここで、［(様式２)環境マネジメントシステム構築状況に関するアンケート］に関するデータ類は、端末(３０、４０、５０、…)側のコンピュータから、ホストシステム１０のホストコンピュータ１０Ｃに通信手段２０を介して送信され、自動的に読み取られて、データベース(ＤＢ１３ａ、１３ｂ、１３ｃ)に保存されて管理されるように構成されるとよい。
【００２９】
本発明によるグリーン購入品管理システムでは、購入品がグリーン購入品に当たるかどうかを判定する手段を備えている。この手段は、メーカー(端末(３０,４０,５０))から受信した申請情報をもとに、次に示す［(様式３)エネルギー・グリーン提案についての評価基準］にもとづいて、電力会社(ホスト会社１０)側で評価して得点化した結果、基準値を上回る評価得点を有する製品をグリーン購入品とするものである。ここでの評価については、各製品毎に評価得点の配分を変化させることができ、例えば電線などの製品については、長寿命化（耐久性・信頼性・修理保守容易性）を重視するのであれば、これらの評価得点を傾斜加点できるようにする。
【００３０】
［(様式３)エネルギー・グリーン提案についての評価基準］
＜区  分＞
○電力用資機材等
適用例：火力・原子力・水力・流通設備、電線ケーブル、一般資機材、
情報通信機器他
○工事における材料
適用例：土木・水力・火力・送変電・配電・通信工事他に使用する材料
＜評価基準＞
○環境面での評価
・省資源  ：  再生素材利用・小型化、標準統一化
・省エネルギー  ：  省エネルギー性、省消耗性、高効率化
・長寿命化  ：  耐久性向上、信頼性向上、修理保守容易性
・再資源化・分解性  ：  再生素材の利用、再資源化促進、分解分離性向上
・廃棄処分容易性  ：  処分容易性、廃棄情報提供、有害物質不使用
○コスト面での評価
・購入価格    ・ランニングコスト    ・リサイクル／廃棄処分コスト
ここでの［(様式３)エネルギー・グリーン提案についての評価基準］に関するデータ類は、端末(３０、４０、５０、…)側のコンピュータから、ホストシステム１０のホストコンピュータ１０Ｃに通信手段２０を介して送信され、自動的に読み取られて、データベース(ＤＢ１３ａ、１３ｂ、１３ｃ)に保存されて管理されるように構成される。
【００３１】
本発明によるグリーン購入品管理システムでは、「前記グリーン購入品の実績情報に応じて、その後に購入する購入品をグリーン購入品しか選択できなくする購入品検索手段、」を備えさせることが可能である。これは、本発明によるシステムを包含する上位のシステム「資機材調達システム」を構築しておいて、資機材を調達するためのメニューにおいて、購入したい製品を検索する際に、グリーン購入品を優先して表示させるという手段によって、行うことができる。なお、従来の「資材調達システム」の例としては、特開2000−076327、特開2002−269405などに、いわゆる一般的な資材調達のシステムが開示されている。ここで、「グリーン購入品しか選択できなくする」ということは、上記のような資材調達システムで製品を検索した際に、グリーン購入品以外の製品も検索結果画面に表示させるが、選択できないようにする（アクティブとしない）、もしくは、選択用ボタンを表示させないという方法によって行うことが可能である。
【図面の簡単な説明】
【００３２】
【図１】本発明によるグリーン購入管理システムの全体構成の一例を示す図である。
【図２】本発明によるグリーン購入管理システムで用いられる表示画面の一例を示す図である。
【図３】本発明によるグリーン購入管理システムで用いられる利用者管理データベースの一例を示す図である。
【図４】本発明によるグリーン購入管理システムで用いられる「Ｇ品(グリーン購入品)」購入実績の表示の一例を示す図である。
【符号の説明】
【００３３】
１００    グリーン購入管理システム
１０    ホストシステム
１０Ｃ    ホストコンピュータ(ＣＰＵ)
１３      データベース(ＤＢ)
１３ａ    利用者管理データベース
１３ｂ    グリーン購入品データベース
１３ｃ    グリーン品購入実績データベース
２０    ネットワーク
３０、４０、５０、    端末
９０    グリーン購入ネックワークの管理社(GPN)
【図１】
2008123428.tif 000003
【図２】
2008123428.tif 000004
【図３】
2008123428.tif 000005
【図４】
2008123428.tif 000006